(57)【要約】【課題】  組立性を損ねることなく効果的に撓み強度を向上する。【解決手段】  長尺角柱状の本体部１０と、本体部１０の一側部に一体に並設された補強部２０とを備え、本体部１０は、前記一側部以外の少なくとも二箇所の側面部に、間仕切り壁３０を嵌合するための壁嵌合部１０ａを有し、補強部２０は、前記一側部から突出する断面円弧状に形成されるとともに本体部１０の長手方向に沿って連続している。【選択図】  図１
2018145647.tif 000002
【特許請求の範囲】
【請求項１】
長尺角柱状の本体部と、該本体部の一側部に一体に並設された補強部とを備え、
前記本体部は、前記一側部以外の少なくとも二箇所の側面部に、間仕切り壁を嵌合するための壁嵌合部を有し、
前記補強部は、前記一側部から突出する断面円弧状に形成されるとともに前記本体部の長手方向に沿って連続していることを特徴とする間仕切り壁の接続具。
【請求項２】
前記本体部は、四角柱状に形成され、前記二箇所の側面部を含む三側面に壁嵌合部を有し、他の一側面に前記補強部を並設していることを特徴とする請求項１記載の間仕切り壁の接続具。
【請求項３】
前記本体部の下端側内部には、床面から突出する支持部材に嵌合可能な支持嵌合部が設けられ、前記補強部の下端側内部にも前記支持部材と同形状の支持部材に嵌合可能な支持嵌合部が設けられていることを特徴とする請求項１又は２記載の間仕切り壁の接続具。
【請求項４】
請求項１乃至３何れか１項記載の接続具を用いて、複数の間仕切り壁を接続するようにしたことを特徴とする間仕切り壁の接続構造。
【請求項５】
前記接続具が第１の接続具であって、長尺角柱状の第２の接続具を備え、
前記第２の接続具は、一側部に第１の接続具の補強部に接続される接続部を有するとともに、他の少なくとも一側部に間仕切り壁を接続するための壁嵌合部を有し、
前記接続部は、断面凹状に形成され、その凹部内の底部を前記補強部の外面に接触させるとともに、該底部を間に置く両側の縁部を前記補強部の外面に接触させて、前記補強部の周方向における任意の角度位置に止着されていることを特徴とする請求項４記載の間仕切り壁の接続構造。
【請求項６】
前記接続部は、その底部に挿通された止着具によって前記補強部に止着されていることを特徴とする請求項５記載の間仕切り壁の接続構造。
【請求項７】
床面に二つの支持部材が突出して固定され、これら二つの支持部材が、それぞれ、前記本体部と前記補強部に嵌合していることを特徴とすることを特徴とする請求項４乃至６何れか１項記載の間仕切り壁の接続構造。
【発明の詳細な説明】
【技術分野】
【０００１】
本発明は、建物内の空間を仕切る複数の間仕切り壁を接続する接続具及び接続構造に関するものである。
【背景技術】
【０００２】
従来、この種の発明には、例えば特許文献１に記載されるように、複数の間仕切り壁を、接続具（支柱やスタッドと呼称される場合がある）を介して、断面Ｔ字状やクロス状などに接続するようにした間仕切り装置がある。
このような間仕切り装置は、例えば、工場や展示場等のように、床から天井までの高さが比較的高い空間に設置されて、間仕切り壁の高さが５ｍ以上におよぶ場合がある。
【先行技術文献】
【特許文献】
【０００３】
【特許文献１】特開２００１−９８６７６号公報
【発明の概要】
【発明が解決しようとする課題】
【０００４】
前述したように、間仕切り壁の高さが比較的高くなる場合には、例えば人が間仕切り壁を押したり凭れ掛かったりすることで、間仕切り壁及び接続具が、弓形に撓んでしまうおそれがある。
そこで、補強部材などを設けることが提案されるが、組立性を損ねることなく効果的に撓み強度を向上するには工夫を要する。
【課題を解決するための手段】
【０００５】
このような課題に鑑みて、本発明は、以下の構成を具備するものである。
長尺角柱状の本体部と、該本体部の一側部に一体に並設された補強部とを備え、前記本体部は、前記一側部以外の少なくとも二箇所の側面部に、間仕切り壁を嵌合するための壁嵌合部を有し、前記補強部は、前記一側部から突出する断面円弧状に形成されるとともに前記本体部の長手方向に沿って連続していることを特徴とする間仕切り壁の接続具。
【発明の効果】
【０００６】
本発明は、以上説明したように構成されているので、組立性を損ねることなく間仕切り壁の撓み強度を効果的に向上することができる。
【図面の簡単な説明】
【０００７】
【図１】本発明に係る間仕切り壁の接続構造の一例を示す斜視図である。
【図２】同接続構造に用いる支柱の一例を示す斜視図である。
【図３】同接続構造を示す横断面図である。
【図４】本発明に係る間仕切り壁の接続構造の他例を示す横断面図である。
【図５】本発明に係る間仕切り壁の接続構造の他例を示す横断面図である。
【図６】本発明に係る間仕切り壁の接続構造の他例を示す横断面図である。
【発明を実施するための形態】
【０００８】
本実施の形態では、以下の特徴を開示している。
第１の特徴は、長尺角柱状の本体部と、該本体部の一側部に一体に並設された補強部とを備え、前記本体部は、前記一側部以外の少なくとも二箇所の側面部に、間仕切り壁を嵌合するための壁嵌合部を有し、前記補強部は、前記一側部から突出する断面円弧状に形成されるとともに前記本体部の長手方向に沿って連続している（図１参照）。
【０００９】
第２の特徴として、前記本体部は、四角柱状に形成され、前記二箇所の側面部を含む三側面に壁嵌合部を有し、他の一側面に前記補強部を並設している（図１参照）。
【００１０】
第３の特徴として、前記本体部の下端側内部には、床面から突出する支持部材に嵌合可能な支持嵌合部が設けられ、前記補強部の下端側内部にも前記支持部材と同形状の支持部材に嵌合可能な支持嵌合部が設けられている（図３〜図６参照）。
【００１１】
第４の特徴は、上記接続具を用いて、複数の間仕切り壁を接続する間仕切り壁の接続構造を構成した（図２及び図３〜図６参照）。
【００１２】
第５の特徴は、前記接続具が第１の接続具であって、長尺角柱状の第２の接続具を備え、前記第２の接続具は、一側部に第１の接続具の補強部に接続される接続部を有するとともに、他の少なくとも一側部に間仕切り壁を接続するための壁嵌合部を有し、前記接続部は、断面凹状に形成され、その凹部内の底部を前記補強部の外面に接触させるとともに、該底部を間に置く両側の縁部を前記補強部の外面に接触させて、前記補強部の周方向における任意の角度位置に止着されている（図２及び図３〜図６参照）。
【００１３】
第６の特徴として、前記接続部は、その底部に挿通された止着具によって前記補強部に止着されている（図３、図５及び図６参照）。
【００１４】
第７の特徴は、床面に二つの支持部材が突出して固定され、これら二つの支持部材が、それぞれ、前記本体部と前記補強部に嵌合している（図３〜図６参照）。
【００１５】
＜具体的実施態様＞
次に、上記特徴を有する具体的な実施態様について、図面に基づいて詳細に説明する。
図１は、本発明に係る間仕切り壁の接続具の一例として、第１の接続具１を示す。
この第１の接続具１は、長尺角柱状の本体部１０と、本体部１０の一側部１１に一体に並設された補強部２０とを備え、金属材料（例えば、アルミニウム合金等）によって一体に成形されている。
この第１の接続具１は、図２〜図６に示すように、複数の間仕切り壁３０を接続して、間仕切り壁の接続構造Ａ〜Ｄを構成する。
【００１６】
本体部１０は、内部に上下方向へ連続する中空部を有する四角柱状もしくは四角筒状に形成される。
この本体部１０の横断面は、矩形枠状を呈し、下端側においてその内面が、支持部材４１（図３参照）に嵌り合うようになっている。支持部材４１は、床面等に上方向きに突出するように固定された四角柱状の部材である。
詳細に説明すれば、本体部１０の各辺部は、その幅方向の中央側に、本体部１０内側へ突出するとともに上下方向へ連続する凸部１０ｂを有する。本体部１０の４辺に対応する４つの凸部１０ｂは、本体部１０の下端側において、支持部材４１の外面に対し、環状に嵌り合う支持嵌合部として機能する。
【００１７】
また、本体部１０は、前記一側部１１以外の背反する二箇所の側面部１２，１３と、前記一側部１１に背反する側面部１４との三側面に、それぞれ、間仕切り壁３０を嵌合するための壁嵌合部１０ａを有する。
【００１８】
壁嵌合部１０ａは、幅方向の両側に内向きの突片部１０ａ１を有する横断面略凹状に形成される。
壁嵌合部１０ａには、図示例の間仕切り壁３０や、ドアを構成するための部材、その他の間仕切り用建材等を嵌合可能である。    
【００１９】
補強部２０は、内部を上下方向へ貫通した断面枠状に形成される。
詳細に説明すれば、この補強部２０は、前記一側部１１から突出する断面円弧状の補強壁部２１と、この補強壁部２１の付根側（本体部１０側）に設けられた支持嵌合部２２とを有する。
【００２０】
補強壁部２１は、中心角が１８０度以上となる断面円弧枠状に形成され、本体部１０の長手方向（図示例によれば上下方向）に沿って連続している。
【００２１】
支持嵌合部２２は、補強壁部２１と本体部１０の間に設けられた部分であり、幅方向の両側で略平行する内面２２ａ，２２ａを、内向きに突出させるとともに、その外面を凹状に形成している（図１参照）。
この支持嵌合部２２の内面２２ａ，２２ａは、補強部２０の下端側において、支持部材４１’の外面に接触又は近接して嵌り合う。
支持部材４１’は、本体部１０に嵌り合う支持部材４１と同形状の部材であり、床面等に上方向きに突出して固定されている。
【００２２】
また、間仕切り壁３０は、図３に示すように、間隔を置いて平行に設けられた２枚の表面板３１，３１と、これら表面板の間に挟み込まれた芯材３２とから、厚肉な矩形板状に構成される。
各表面板３１は、例えば、合成樹脂板や、木板、金属板等の硬質材料からなる平面視矩形状の板材である。
芯材３２は、紙やその他の材料からなり、断熱材あるいは防音材等として機能する。
【００２３】
次に、上記構成の第１の接続具１を用いた間仕切り壁の接続構造Ａについて説明する。
図２及び図３に例示する間仕切り壁の接続構造Ａは、上述した第１の接続具１と、この第１の接続具１に接続された長尺角柱状の第２の接続具２と、これら２種類の接続具１，２によって接続された複数の間仕切り壁３０と、床面に固定されて上方へ突出する二つの支持部材４１，４１’とを備える。
【００２４】
この間仕切り壁の接続構造Ａにおいて、第１の接続具１は、二つの支持部材４１，４１’に、本体部１０と補強部２０を、それぞれ嵌め合わせて直立しており、本体部１０における背反する二つの壁嵌合部１０ａ，１０ａに、それぞれ、間仕切り壁３０の端部を嵌合し、補強部２０の外周面には第２の接続具２を止着している。
【００２５】
第２の接続具２は、長尺四角柱状に形成され、その一側部に、第１の接続具１の補強部２０に接続される接続部２ａを有するとともに、他の三つの側部には、それぞれ、間仕切り壁３０を接続可能な壁嵌合部２ｂ，２ｂ，２ｂ’を有する。
この第２の接続具２は、図示例によれば、第１の接続具１から補強部２０の部分を除去した形状に形成される。
【００２６】
なお、接続部２ａと壁嵌合部２ｂ’は、図示例によれば同形状である。このため、第２の接続具２は、接続部２ａに間仕切り壁３０を嵌合して用いることも可能である。
【００２７】
接続部２ａは、断面凹状に形成され、その凹部内の底部２ａ１を、補強部２０の外周面に接触させるとともに、底部２ａ１を間に置く両側の縁部２ａ２，２ａ２を補強部２０の外周面に接触させて、補強部２０の周方向における任意の角度位置に、止着具２ｃによって補強部２０に止着固定されている。
止着具２ｃは、例えば、ネジやボルト等であり、壁嵌合部２ｂ’の貫通孔２ｂ１’から壁嵌合部２ｂ内に挿入され、接続部２ａに挿通されて補強外壁部２１に螺合されている。
この止着構造によれば、必要最小限の止着具２ｃにより、接続部２ａを補強部２０外面に頑強に接続することができる。
【００２８】
三つの壁嵌合部２ｂ，２ｂ，２ｂ’のうち、壁嵌合部２ｂ’は、接続部２ａと略同形状に形成され、接続部２ａに背反するように凹部を外側へ向けている。
この壁嵌合部２ｂ’には、その中央側に、止着具２ｃを締め付ける治具（例えばドライバー等）や、止着具２ｃを挿通するための貫通孔２ｂ１’が設けられる。
そして、この壁嵌合部２ｂ’には、本体部１０に嵌合した二つの間仕切り壁３０，３０に対し略直角となるように、間仕切り壁３０が嵌め合わせられる。
【００２９】
また、他の壁嵌合部２ｂ，２ｂは、接続部２ａ及び壁嵌合部２ｂ’と交差する両側の側面にそれぞれ設けられる。
各壁嵌合部２ｂは、間仕切り壁３０の端部を嵌合可能な凹状に形成される。
なお、図３の例示によれば、壁嵌合部２ｂ’のみに間仕切り壁３０を嵌合しているが、他の壁嵌合部２ｂ，２ｂも間仕切り壁３０を嵌合して用いることが可能である。
【００３０】
上記構成の間仕切り壁の接続構造Ａによれば、例えば人が間仕切り壁３０を押したり間仕切り壁３０に凭れ掛かったりすることで、間仕切り壁３０及び第１の接続具１，２が弓形に撓んでしまうようなことを、曲げ強度の比較的高い断面形状である補強部２０によって効果的に防ぐことができる。
【００３１】
また、他例として、図４に示す間仕切り壁の接続構造Ｂは、上述した間仕切り壁の接続構造Ａに対し、第２の接続具２及び該第２の接続具２側の間仕切り壁３０を省いたものである。
この間仕切り壁の接続構造Ｂにおいても、第１の接続具１の撓みや、該第１の接続具１に接続された二つの間仕切り壁３０の撓みを、補強部２０によって抑制することができる。
【００３２】
また、他例として、図５に示す間仕切り壁の接続構造Ｃは、補強部２０における任意の角度位置（図示例によれば約４５度の位置）に、第２の接続具２を接続し、この第２の接続具２に間仕切り壁３０を嵌合している。また、本体部１０における側面部１４の壁嵌合部１０ａに間仕切り壁３０を嵌合している。
このように、補強部２０には、任意の角度位置に第２の接続具２を介して間仕切り壁３０を連結することができる。
そして、この間仕切り壁の接続構造Ｃにおいても、第１の接続具１，２及び各間仕切り壁３０の撓みを、補強部２０によって抑制することができる。
【００３３】
図６に示す間仕切り壁の接続構造Ｄは、補強部２０に対し二つの第２の接続具２をＶ字状に接続し、これら二つの第２の接続具２に、それぞれ、間仕切り壁３０を接続している。また、本体部１０における側面部１４の壁嵌合部１０ａにも間仕切り壁３０を嵌合している。
このように、補強部２０には、複数の第２の接続具２を接続し、これら第２の接続具２にそれぞれ間仕切り壁３０を連結することができる。
そして、この間仕切り壁の接続構造Ｄにおいても、第１の接続具１、各第２の接続具２、及び各間仕切り壁３０の撓みを補強部２０によって抑制することができる。
【００３４】
なお、上記実施態様によれば、本体部１０を四角柱状に形成しているが、この本体部１０の他例としては、三角柱状や、五角形以上の多角形柱状にすることが可能である。
【００３５】
また、上記実施態様によれば、補強部２０と反対側に位置する側面部１４側の壁嵌合部１０ａには、間仕切り壁３０を嵌合していないが、他例としては、この側面部１４側の壁嵌合部１０ａに間仕切り壁３０を嵌合することも可能である。
【００３６】
また、上記実施態様によれば、特に頑強な好ましい一例として第１の接続具１を二つの支持部材４１，４１’によって支持したが、他例としては、何れか一方の支持部材４１’（又は４１）を省くことも可能である。
【００３７】
また、本発明は上述した実施態様に限定されず、本発明の要旨を変更しない範囲で適宜変更可能である。
【符号の説明】
【００３８】
１：第１の接続具
２：第２の接続具
２ａ：接続部
２ａ１：底部
２ａ２：縁部
２ｃ：止着具
２ｂ：壁嵌合部
１０：本体部
１０ａ：壁嵌合部
１０ｂ：凸部（支持嵌合部）
２０：補強部
２２：支持嵌合部
３０：間仕切り壁
Ａ〜Ｄ：間仕切り壁の接続構造
【図１】
2018145647.tif 000003
【図２】
2018145647.tif 000004
【図３】
2018145647.tif 000005
【図４】
2018145647.tif 000006
【図５】
2018145647.tif 000007
【図６】
2018145647.tif 000008